(57)【要約】【課題】多くの人がスムーズにサービスの提供を受けられるとともに、サービスの種類に応じて、セキュリティ性を変化させる。【解決手段】サービス提供システムは、所有者の第１指紋データを記憶する第１記憶部１ａと、利用者の指紋画像を入力するための指紋入力部１ｄと、上記指紋画像に基づいて生成された第２指紋データと第１指紋データとを照合し一致するか否かを判断する判断部１ｇと、指紋入力部により入力動作が行われた入力時刻が、サービスと関連づけられた一定時刻以内であるか否かを判断し、一定時刻以内である場合には、判断部１ｇによる判断結果に基づいて、利用者が正当であるか否かを判断し、一定時刻以内でない場合には、利用者が正当でないと判断する判断部２ｄを有する。【選択図】　　　図１
2004021737.tif 000002
【特許請求の範囲】
【請求項１】
携帯装置の利用者又は当該利用者の所有物の正当性を判断して、サービス提供装置がサービスを提供するサービス提供システムであって、
前記携帯装置の所有者又は当該所有者の所有物を証明するためのデータである第１証明データを記憶する第１記憶手段と、
前記携帯装置の利用者又は当該利用者の所有物を証明するためのデータである第２証明データに必要な情報である必要情報を入力するための必要情報入力手段と、
前記必要情報に基づいて生成された第２証明データと、前記第１証明データとを照合し、一致するか否かを判断する一致性判断手段と、
前記サービス提供装置において、前記必要情報入力手段により入力動作が行われた時刻である必要情報入力時刻及び前記一致性判断手段による判断結果を取得したとき、前記必要情報入力時刻が、前記取得した時刻に対して、前記サービスと関連づけられた所定時間以内であるか否かを判断し、
所定時間以内である場合には、前記一致性判断手段による判断結果に基づいて、前記利用者又は前記利用者の所有物が正当であるか否かを判断し、
所定時間以内でない場合には、前記利用者又は前記利用者の所有物が正当でないと判断する正当性判断手段とを有することを特徴とするサービス提供システム。
【請求項２】
前記必要情報入力時刻と、前記一致性判断手段による判断結果と、少なくとも前記一致性判断手段による照合に関する情報、第１証明データのデータ量及び第２証明データのデータ量を示すデータ量情報を含む、前記正当性判断手段による判断のための情報である判断情報と、を記憶する第２記憶手段を有し、
前記正当性判断手段は、さらに、前記判断情報を取得し、前記所定時間以内である場合には、前記一致性判断手段による判断結果及び前記判断情報に基づいて、前記利用者又は前記利用者の所有物が正当であるか否かを判断することを特徴とする請求項１に記載のサービス提供システム。
【請求項３】
サービス提供装置がサービスを提供する際に、利用者又は利用者の所有物の正当性を判断するために必要な情報を、前記サービス提供装置に対して提供する携帯装置であって、
当該携帯装置の所有者又は当該所有者の所有物を証明するためのデータである第１証明データを記憶する記憶手段と、
前記携帯装置の利用者又は当該利用者の所有物を証明するためのデータである第２証明データに必要な情報である必要情報を入力するための必要情報入力手段と、
前記必要情報入力手段により入力動作が行われた時刻である必要情報入力時刻を計測するカウント手段と、
前記必要情報に基づいて生成された第２証明データと、前記第１証明データとを照合し、一致するか否かを判断する一致性判断手段と、
前記必要情報入力時刻及び前記一致性判断手段による判断結果を前記サービス提供装置に対して提供する提供手段とを有することを特徴とする携帯装置。
【請求項４】
サービス提供装置がサービスを提供する際に、利用者又は利用者の所有物の正当性を判断するために必要な情報を、前記サービス提供装置に対して提供する携帯装置であって、
当該携帯装置の所有者又は当該所有者の所有物を証明するためのデータである第１証明データを記憶する記憶手段と、
前記携帯装置の利用者又は当該利用者の所有物を証明するための第２証明データに必要な情報が入力された場合、前記必要な情報に基づいて第２証明データを生成するとともに、前記必要な情報が入力された時刻である必要情報入力時刻を計測する装置から、前記第２証明データ及び前記必要情報入力時刻を獲得する獲得手段と、
前記第２証明データと前記第１証明データとを照合し、一致するか否かを判断する一致性判断手段と、
前記必要情報入力時刻及び前記一致性判断手段による判断結果を前記サービス提供装置に対して提供する提供手段とを有することを特徴とする携帯装置。
【請求項５】
携帯装置の利用者又は当該利用者の所有物の正当性を判断して、サービスを提供するサービス提供装置であって、
携帯装置の所有者又は当該所有者の所有物を証明するためのデータである第１証明データと、前記携帯装置の利用者又は当該利用者の所有物を証明するための第２証明データに必要な情報である必要情報が入力された場合に前記必要情報に基づいて生成された第２証明データと、前記必要情報が入力された時刻である必要情報入力時刻と、前記第１証明データと前記第２証明データとを照合し、一致するか否かを判断した結果である一致性判断結果とを前記携帯装置から獲得する獲得手段と、
前記必要情報入力時刻が、　前記獲得手段が獲得動作を行った時刻に対して、前記サービスと関連づけられた所定時間以内であるか否かを判断し、
所定時間以内である場合には、前記一致性判断手段による判断結果に基づいて、前記利用者又は前記利用者の所有物が正当であるか否かを判断し、
所定時間以内でない場合には、前記利用者又は前記利用者の所有物が正当でないと判断する正当性判断手段とを有することを特徴とするサービス提供装置。
【発明の詳細な説明】
【０００１】
【発明の属する技術分野】
本発明は、携帯装置の利用者等の正当性を判断して、サービスを提供するサービス提供システム、携帯装置、サービス提供装置に関する。
【０００２】
【従来の技術】
近年、通信網やＩＣカード等の技術の発達や、クレジットカード等の決済手段の多様化に伴い、現金に代わる決済が広く社会に普及してきており、ユーザにとっては、サービスを受ける場合に、現金を支払う等の手間が省けようになってきている。
【０００３】
しかしながら、これらのカードを紛失した場合や盗難にあった場合や改竄されるような場合、悪意のある第三者がカード所有者本人に成りすまして不正使用することがあり、セキュリティ確保の問題が顕在化してきている。また用途毎に多種類のカードが多数発行されているため、これらをいつも全て携帯するのは煩雑となってくる。
【０００４】
これらの不都合を無くするための技術として、例えば、多種類のカード機能を１枚に集約し、かつマイクロプロセッサや暗号機能等を搭載して改竄しにくい機能を有するＩＣカードを用い、利用者が正当な者であることを確認する認証システムがある。
【０００５】
具体的には、上記認証システムでは、ＩＣカードやその読取装置に指紋データ等の固有情報の読取機能を設けられている。そして、上記認証システムでは、サービス提供時にサービスの提供を受けたい利用者が指紋画像を入力し、生成された指紋データと、予め登録された指紋データとの照合が行われ、正当な利用者であるか否かが判断される。正当な利用者と判断されたら、その利用者は、サービスの提供を受けることができる。
【０００６】
【発明が解決しようとする課題】
しかしながら、上述した従来技術では以下のような問題があった。例えば、電車やバス乗車券のプリペイドカードでは、多くの人がスムーズにサービスの提供を受けられるようにする必要があり、１人当りの処理時間を極力短くする必要がある。しかし、サービス提供時に指紋データの生成や、指紋データ等の照合を行うと、相当の時間がかかってしまう。このため、多くの人がサービスをスムーズに受けられないことになってしまう。この結果、携帯装置（ＩＣカード等）の利用者の正当性を判断して、サービスの提供を行う場合、多くの人がスムーズにサービスの提供を受けられるシステムの開発が望まれていた。
【０００７】
一方、サービスの種類によっては、高いセキュリティ性が要求される場合もあれば、高いセキュリティ性が要求されない場合もある。このため、サービスの種類に応じて要求されるセキュリティ性の高さに従って、利用者の正当性を判断することができるシステムの開発も望まれている。
【０００８】
本発明は、以上のような問題点に鑑みてなされたものであり、携帯装置の利用者の正当性を判断して、サービスの提供を行う場合、多くの人がスムーズにサービスの提供を受けられるとともに、サービスの種類に応じて、セキュリティ性の高さを変化させることができるサービス提供システム、携帯装置、サービス提供装置を提供することを目的とする。
【０００９】
【課題を解決するための手段】
上記課題を解決するために、本発明は、携帯装置の利用者又は当該利用者の所有物の正当性を判断して、サービス提供装置がサービスを提供するサービス提供システムであって、前記携帯装置の所有者又は当該所有者の所有物を証明するためのデータである第１証明データを記憶する第１記憶手段と、前記携帯装置の利用者又は当該利用者の所有物を証明するためのデータである第２証明データに必要な情報である必要情報を入力するための必要情報入力手段と、前記必要情報に基づいて生成された第２証明データと、前記第１証明データとを照合し、一致するか否かを判断する一致性判断手段と、前記サービス提供装置において、前記必要情報入力手段により入力動作が行われた時刻である必要情報入力時刻及び前記一致性判断手段による判断結果を取得したとき、前記必要情報入力時刻が、前記取得した時刻に対して、前記サービスと関連づけられた所定時間以内であるか否かを判断し、所定時間以内である場合には、前記一致性判断手段による判断結果に基づいて、前記利用者又は前記利用者の所有物が正当であるか否かを判断し、所定時間以内でない場合には、前記利用者又は前記利用者の所有物が正当でないと判断する正当性判断手段とを有することを特徴とするものである。
【００１０】
また、本発明は、上記発明において、前記必要情報入力時刻と、前記一致性判断手段による判断結果と、少なくとも前記一致性判断手段による照合に関する情報、第１証明データのデータ量及び第２証明データのデータ量を示すデータ量情報を含む、前記正当性判断手段による判断のための情報である判断情報と、を記憶する第２記憶手段を有し、前記正当性判断手段は、さらに、前記判断情報を取得し、前記所定時間以内である場合には、前記一致性判断手段による判断結果及び前記判断情報に基づいて、前記利用者又は前記利用者の所有物が正当であるか否かを判断することもできる。
【００１１】
また、本発明は、サービス提供装置がサービスを提供する際に、利用者又は利用者の所有物の正当性を判断するために必要な情報を、前記サービス提供装置に対して提供する携帯装置であって、当該携帯装置の所有者又は当該所有者の所有物を証明するためのデータである第１証明データを記憶する記憶手段と、前記携帯装置の利用者又は当該利用者の所有物を証明するためのデータである第２証明データに必要な情報である必要情報を入力するための必要情報入力手段と、前記必要情報入力手段により入力動作が行われた時刻である必要情報入力時刻を計測するカウント手段と、前記必要情報に基づいて生成された第２証明データと、前記第１証明データとを照合し、一致するか否かを判断する一致性判断手段と、前記必要情報入力時刻及び前記一致性判断手段による判断結果を前記サービス提供装置に対して提供する提供手段とを有することを特徴とするものである。
【００１２】
また、本発明は、サービス提供装置がサービスを提供する際に、利用者又は利用者の所有物の正当性を判断するために必要な情報を、前記サービス提供装置に対して提供する携帯装置であって、当該携帯装置の所有者又は当該所有者の所有物を証明するためのデータである第１証明データを記憶する記憶手段と、前記携帯装置の利用者又は当該利用者の所有物を証明するための第２証明データに必要な情報が入力された場合、前記必要な情報に基づいて第２証明データを生成するとともに、前記必要な情報が入力された時刻である必要情報入力時刻を計測する装置から、前記第２証明データ及び前記必要情報入力時刻を獲得する獲得手段と、前記第２証明データと前記第１証明データとを照合し、一致するか否かを判断する一致性判断手段と、前記必要情報入力時刻及び前記一致性判断手段による判断結果を前記サービス提供装置に対して提供する提供手段とを有するように構成することもできる。
【００１３】
また、本発明は、携帯装置の利用者又は当該利用者の所有物の正当性を判断して、サービスを提供するサービス提供装置であって、携帯装置の所有者又は当該所有者の所有物を証明するためのデータである第１証明データと、前記携帯装置の利用者又は当該利用者の所有物を証明するための第２証明データに必要な情報である必要情報が入力された場合に前記必要情報に基づいて生成された第２証明データと、前記必要情報が入力された時刻である必要情報入力時刻と、前記第１証明データと前記第２証明データとを照合し、一致するか否かを判断した結果である一致性判断結果とを前記携帯装置から獲得する獲得手段と、前記必要情報入力時刻が、　前記獲得手段が獲得動作を行った時刻に対して、前記サービスと関連づけられた所定時間以内であるか否かを判断し、所定時間以内である場合には、前記一致性判断手段による判断結果に基づいて、前記利用者又は前記利用者の所有物が正当であるか否かを判断し、所定時間以内でない場合には、前記利用者又は前記利用者の所有物が正当でないと判断する正当性判断手段とを有することを特徴とするものである。
【００１４】
【発明の実施の形態】
実施の形態１．
図１は、本実施の形態であるサービス提供システムの構成を示す図である。本システムは、携帯装置１、サービス提供装置２を有する。携帯装置１とは、例えば、携帯電話やＰＤＡである。携帯装置１は、第１記憶部１ａ、第２記憶部１ｂ、カウント部１ｃ、指紋入力部１ｄ、指紋データ生成部１ｆ、判断部１ｇ、サービス提供装置２との間でデータの通信を行う通信部（受信部及び送信部）１ｈ、各種データを表示する表示部（図示せず）、各種データを入力するための入力部（図示せず）、各部を制御する制御部１ｊを有する。
【００１５】
入力部には、所有者により、後述する第１指紋データ（所有者と関連づけられた指紋データ）の登録要求が入力される。
【００１６】
指紋入力部１ｄには、携帯装置１の所有者又は利用者を証明するためのデータである指紋データに必要な情報である指紋画像（必要情報）が、上記所有者又は利用者により入力される。ここで、利用者とは、所有者である場合もあれば、所有者以外の者である場合もある。具体的には、所有者等が所定の指を指紋入力部１ｄに接触させることで、指紋画像が入力される。カウント部１ｃは、指紋入力部１ｄに指紋画像が入力された時刻を計測し、制御部１ｊへ送る。制御部１ｊは、入力時刻を保持する。
【００１７】
指紋データ生成部１ｆは、指紋入力部１ｄにより入力された指紋画像を取得して、指紋データを生成する。生成された指紋データ及び入力された登録要求は、制御部１ｊへ送られる。制御部１ｊは、生成された指紋データを所有者と関連づけて第１記憶部１ａに記憶させる。
【００１８】
以下、この所有者と関連づけられた指紋データを第１指紋データという。この際、制御部１ｊは、保持している入力時刻（以下、第１入力時刻という）も第１指紋データと関連づけて第１記憶部１ａに記憶させる。なお、第１指紋データが既に第１記憶部１ａに記憶されている場合には、制御部１ｊは、記憶されている第１指紋データを、送られてきた第１指紋データに書き換える。
【００１９】
また、入力部には、上記登録要求だけでなく、さらに、所有者の暗証番号が入力されるようにしてもよい。そして、制御部１ｊは、保持している暗証番号と、入力された暗証番号とを比較し、一致する場合に、登録要求に基づいて、第１指紋データを第１記憶部１ａに記憶させるようにしてもよい。
【００２０】
制御部１ｊは、第１記憶部１ａに第１指紋データが記憶されている場合には、生成された指紋データを、利用者と関連づけて判断部１ｇに送る。以下、この利用者と関連づけられた指紋データを第２指紋データという。
【００２１】
判断部１ｇは、第１記憶部１ａに記憶されている第１指紋データと第２指紋データとを照合し、一致するか否かを判断する（一致性判断機能）。この際、判断部１ｇは、第１指紋データと第２指紋データとの一致性の程度を示す照合率を算出する。照合率が一定値以上（例えば、９５％）であれば、判断部１ｇは、第１指紋データと第２指紋データとが一致すると判断する。
【００２２】
判断部１ｇにより判断された一致性についての判断結果（一致している旨を示すＯＫ情報，一致していない旨を示すＮＧ情報）、照合率は、制御部１ｊへ送られる。制御部１ｊは、上記判断結果（以下、一致性判断結果という）と照合率と保持していた入力時刻を第２記憶部１ｂに記憶させる。この際、第２記憶部１ｂには、利用者の指紋画像が指紋入力部１ｄにより入力された時刻が第２指紋データと関連づけて記憶される。以下、この入力時刻を第２入力時刻という。
【００２３】
サービス提供装置２は、携帯装置１との間で、データ通信を行う通信部（受信部及び送信部）２ｂ、カウント部２ｃ、判断部２ｄ、サービス提供部２ｆ、携帯装置１を有する利用者を検出する検出部（図示せず）を有する。通信部２ｂは、携帯装置１から送信された一致性判断結果、第２入力時刻等の情報を受信すると、判断部２ｄに送る。また、カウント部２ｃは、携帯装置１から送信された一致性判断結果等の情報を通信部２ｂが受信したとき、受信した時刻を計測する。計測された受信時刻は判断部２ｄに送られる。
【００２４】
判断部２ｄは、上記サービス提供装置２が提供するサービスと関連づけられた所定の時間情報を保持している。この所定時間情報についての説明は後述する。判断部２ｄは、第２入力時刻及び一致性判断結果を通信部（受信部）が受信した場合、第２入力時刻（例えば、時刻Ｔ１）が、受信時刻（例えば、時刻Ｔ２）に対して、上記所定時間以内（例えば、所定時間をｔとしたとき、第２入力時刻Ｔ１が、Ｔ２−ｔの時刻より後）であるか否かを判断する。
【００２５】
判断部２ｄは、所定時間以内であるか否かについての判断結果と、一致性判断結果、照合率、第１入力時刻に基づいて、利用者が正当であるか否かを判断する。判断部２ｄは、利用者が正当である（利用者が所有者である場合）と判断した場合、サービス提供部２ｆに対してサービスを提供するように指示する。サービス提供部２ｆは、携帯装置１の利用者に対して、サービスの提供を行う。なお、時刻や時間に関する情報（所定時間、第１入力時刻、第２入力時刻等）は、時間、分、秒の情報だけでなく、日付け情報等を含んでいてもよい。
【００２６】
（動作）
上述した構成を有するサービス提供システムの動作を以下に説明する。
【００２７】
（１）第１指紋データ、第１入力時刻の記憶動作
携帯装置１の所有者は、先ず、指紋入力部１ｄを用いて、指紋画像を入力する。
【００２８】
また、上記所有者は、入力部を用いて、第１指紋データの登録要求を入力する。
【００２９】
カウント部１ｃは、指紋入力部１ｄに指紋画像が入力された時刻を計測し、制御部１ｊへ送る。また、入力された指紋画像が指紋データ生成部１ｆに送られると、指紋データ生成部１ｆは、指紋データを生成する。生成された指紋データ及び入力された登録要求は制御部１ｊに送られる。制御部１ｊは、登録要求に基づいて、第１記憶部１ａにアクセスし、保持していた指紋データ（第１指紋データ）及び入力時刻（第１入力時刻）を相互に関連づけて第１記憶部１ａに記憶させる。
【００３０】
（２）各サービスに関連づけられた所定時間の一覧データの表示動作
携帯装置１の利用者は、入力部（図示せず）を用いて、サービスと関連づけられた所定時間（所定時間情報）の一覧データの表示要求を入力すると、表示要求は、制御部１ｊに送られる。制御部１ｊは、保持している一覧データを表示部（図示せず）に表示させる。これにより、携帯装置１の利用者は、各サービスと関連づけられた所定時間（所定時間情報）を知ることができる。なお、上記一覧データを利用者又は所有者に通知する方法は、上述の方法は一例に過ぎず、本実施の形態では、特に限定しない。
【００３１】
この一覧データでは、例えば、各サービスと、上記所定時間（所定時間情報）とが対応づけられている。例えば、高いセキュリティ性が要求されるサービス（高価な品物を提供する等）では、所定時間は、短い時間（例えば、１０分）となっており、セキュリティ性が低くてもよいサービス（サービス提供にかかる金額が低額のような場合や、無料で提供するサービス等）では、所定時間は、長い時間（例えば、１週間）となっている。
【００３２】
この理由は、以下のとおりである。サービス提供時から所定時間以内に利用者の指紋画像が指紋入力部１ｄに入力されて、判断部１ｇが上記一致性の判断を行う場合、所定時間が短ければ、一致性の判断が行われた後、サービスの提供を受けるまでの時間も短い。このため、所有者以外の第三者に携帯装置１を使用される可能性が低い。この結果、所定時間を短くした場合における判断部１ｇによる一致性判断結果により、判断部２ｄが利用者の正当性を判断することで、サービス提供にあたってのセキュリティ性を高めることができる。例えば高額を決済するようなサービスでは、「一致性判断結果が一致する旨であり、第２入力時刻が、受信時刻から過去１０分以内であれば、サービスを提供する」というようにすることもできる。
【００３３】
一方、所定時間が長いと、一致性の判断が行われた後、サービスの提供を受けるまでの時間も長い。このため、所有者以外の第三者に携帯装置１を使用される可能性が高い。この結果、所定時間を長くした場合における判断部１ｇによる一致性判断結果により、判断部２ｄが利用者の正当性を判断する場合には、サービス提供にあたってのセキュリティ性は低くなる。例えば、低額の電車／バスの利用）では、利用者の正当性の判断が不十分であっても損害金額は微小であるから、「一致性判断結果が一致し、第２入力時刻が、受信時刻から過去１週間以内であれば、サービスを提供する」というようにすることもできる。
【００３４】
なお、サービス提供にあたってのセキュリティ性をさらに高めたい場合には、さらに、複数本の指の指紋データの照合率が８０％以上である場合に、サービスを提供するというようにすることも可能である。
【００３５】
（３）携帯装置１による一致性判断動作
図２は、上述の構成を有するサービス提供システムの動作のうち、携帯装置１による一致性判断動作を説明するためのフローチャート図である。なお、第１記憶部１ａには、既に、第１指紋データ及び第１入力時刻が記憶されている。また、携帯装置１の利用者は、既に、（２）のようにして、提供を受けたいサービスに関連づけられた所定時間情報を取得している。
【００３６】
先ず、携帯装置１の利用者は、指紋入力部１ｄを用いて、自分の指紋画像を入力する（Ｓ１０）。指紋画像が入力された旨はカウント部１ｃに送られる。カウント部１ｃは、指紋入力動作が行われた時刻である第２入力時刻を計測し、第２入力時刻を制御部１ｊに送る（Ｓ２０）。
【００３７】
また、指紋入力部１ｄにより入力された指紋画像は、指紋データ生成部１ｆに送られる。指紋データ生成部１ｆは、送られた指紋画像に基づいて第２指紋データを生成する。生成した第２指紋データは制御部１ｊに送られる。
【００３８】
制御部１ｊは、第１記憶部１ａにアクセスし、第１記憶部１ａに第１指紋データが記憶されていることを認識すると、第２指紋データを判断部１ｇに送る。判断部１ｇは、第１記憶部１ａから第１指紋データを読み出し、第１指紋データと第２指紋データとを照合し、一致するか否かを判断する（Ｓ３０）。この際、判断部１ｇは、第１指紋データと第２指紋データとの一致性の程度を示す照合率を算出する。照合率が一定値以上であれば、判断部１ｇは、第１指紋データと第２指紋データとが一致すると判断する。
【００３９】
一致する場合には、判断部１ｇは、一致性判断結果及び照合率を制御部１ｊに送る。制御部１ｊは、送られた一致性判断結果と保持している第２入力時刻と照合率を第２記憶部１ｂに記憶させる。（Ｓ３５）。一致しない場合には、判断部１ｇは、一致しない旨を示す一致性判断結果を制御部１ｊに送る。制御部１ｊは、送られた一致性判断結果と保持している第２入力時刻を第２記憶部１ｂに記憶させる（Ｓ４０）。
【００４０】
（４）サービス提供装置２の正当性判断動作
次に、サービス提供装置２の正当性判断動作を以下に説明する。図３は、本動作を説明するためのフローチャート図である。
【００４１】
携帯装置１の利用者がサービス提供装置２に接近すると、サービス提供装置２の検出部は、利用者の存在を検出し、判断部２ｄに通知する。判断部２ｄの指示により、通信部２ｂは、一定時間ごとに、サービス提供装置２と通信を行う要求があるかを示すポーリング情報を例えば、非接触通信により送信する。
【００４２】
上記ポーリング情報を受信した通信部１ｈは、通信部２ｂとの間で、接続確立に関する信号をやりとりして、通信部間の接続を確立させる。上記接続が確立した旨は制御部１ｊに送られる。制御部１ｊは、第１記憶部１ａから第１入力時刻、第２記憶部１ｂから一致性判断結果、照合率、第２入力時刻を読み出して、通信部１ｈを介して、サービス提供装置２に送信する（Ｓ１００）。
【００４３】
サービス提供装置２の通信部２ｂは、送信されてきた各情報を受信する。そして、通信部２ｂは、各情報を受信した旨をカウント部１ｃに送る。カウント部１ｃは、各情報を通信部２ｂが受信した時刻を計測し、受信時刻を判断部２ｄに送る（Ｓ１１０）。また、通信部２ｄにより受信された各情報は判断部２ｄに送られる。
【００４４】
判断部２ｄは、受信時刻と、第２入力時刻と、保持している所定時間情報に基づいて、第２入力時刻が受信時刻から所定時間以内であるか否かを判断する（Ｓ１２０）。所定時間以内と判断した場合には、ステップＳ１４０へ移行する。所定時間以内でないと判断した場合には、ステップＳ１５０にて、判断部２ｄは、利用者が正当でないと判断し、サービスの提供を行わないと判断し、その旨が携帯装置１の利用者に対して、例えば、図示しない出力部により出力される。
【００４５】
判断部２ｄは、一致性判断結果、照合率、第１入力時刻に基づいて、携帯装置１の利用者が正当であるか否かを判断する（Ｓ１４０）。具体的には、例えば、判断部２ｄは、上記一致判断結果が上記ＯＫ情報であり、照合率が所定値以上であり、第１入力時刻が所定時刻以内である場合（例えば、第１指紋データの指紋画像が入力された時刻が受信時刻から所定時間以内（２週間）等）に、利用者は正当であると判断する。判断部２ｄは、それ以外は、利用者は正当でないと判断する。なお、サービス提供装置２によっては、第１入力時刻や照合率を考慮しないで、利用者の正当性を判断してもよい。
【００４６】
正当と判断した場合には、ステップＳ１６０へ移行する。正当でないと判断した場合には、ステップＳ１５０へ移行する。ステップＳ１６０では、判断部２ｄは、サービス提供部２ｆに対して、サービスの提供を行うように指示する。サービス提供部２ｆは、携帯装置１の利用者に対して、サービスを提供する。
【００４７】
なお、本実施の形態では、第１記憶部１ａ，指紋入力部１ｄ、指紋データ生成部１ｆ、判断部１ｇ、第２記憶部１ｂ、カウント部１ｃは、携帯装置１に設けられている場合について説明したが、これに限定されず、携帯装置１以外の他の装置に設けるようにしてもよい。即ち、携帯装置１は、一致性判断結果等のサービス提供装置２に提供するための情報を、上記他の装置から取得し、サービスの提供を受けるときに、上記情報をサービス提供装置２に送信できるようになっていればよい。
【００４８】
（作用効果）
本実施の形態によれば、携帯装置１は、所有者を証明するためのデータである第１指紋データ（第１証明データ）を記憶する第１記憶部１ａと、携帯装置１の利用者を証明するためのデータである第２指紋データ（第２証明データ）に必要な情報である指紋画像（必要情報）を入力するための指紋入力部１ｄと、指紋画像に基づいて生成された第２指紋データと、第１指紋データとを照合し、一致するか否かを判断する判断部１ｇを有する。
【００４９】
そして、サービス提供装置２の判断部２ｄは、指紋入力部１ｄにより、利用者の指紋画像（第２指紋データの生成に必要な指紋画像）の入力動作が行われた時刻である第２入力時刻及び一致性判断結果を通信部２ｂが受信したとき、第２入力時刻が、受信時刻に対して、サービスと関連づけられた所定時間以内であるか否かを判断し、所定時間以内である場合には、一致性判断結果に基づいて、利用者が正当であるか否かを判断し、所定時間以内でない場合には、利用者が正当でないと判断する。
【００５０】
このため、サービス提供時より前に、利用者を証明するための指紋データの生成、指紋データの一致性についての照合動作が行われ、サービス提供時には、上記生成動作や照合動作が行われないので、サービス提供時における利用者の正当性の判断を短時間で行うことが可能となる。これにより、携帯装置１の利用者の正当性を判断して、サービスの提供を行う場合、多くの人がスムーズにサービスの提供を受けられる。
【００５１】
また、サービス提供装置２では、サービスの種類と関連づけられた所定時間以内に指紋入力部１ｄによる利用者の指紋画像の入力動作が行われた場合にのみ、一致性判断結果を用いて、利用者の正当性が判断される。このため、サービス提供にあたってのセキュリティ性が高いことが要求される場合には、所定時間を短くした場合における一致性判断結果により正当性を判断することで、セキュリティ性を高めて、利用者の正当性を判断できるとともに、サービス提供にあたってのセキュリティ性が高いことが要求されない場合には、所定時間を長くした場合における一致性判断結果により正当性を判断することで、セキュリティ性を低くして、利用者の正当性を判断できる。
【００５２】
従って、携帯装置１の利用者の正当性を判断して、サービスの提供を行う場合、多くの人がスムーズにサービスの提供を受けられるとともに、サービスの種類に応じて、セキュリティ性の高さを変化させて、利用者の正当性を判断することができる。
【００５３】
また、本実施の形態では、サービス提供装置２の判断部２ｄは、さらに、照合率等の情報（以下、判断情報という）を考慮して、利用者の正当性を判断することができる。このため、上述の一致性判断結果だけでは、正当性の判断に不十分といえるようなサービスの場合には、さらに、上記判断情報を考慮することができる。また、本実施の形態によれば、例えば現金自動払出機端末の使用時に想定される現金引き出し現場での指紋入力操作は省略できるため、利用者に与える負荷を低減させることができる。
【００５４】
（実施の形態２）
サービス提供を受ける場合に用いられる携帯装置１としては、携帯端末装置以外に、例えばＩＣカードがある。今後、ＩＣカードは内部には電源を持たず、外部から電源を供給して動作する非接触形が多くなるものと予想される。内部に電源のない非接触ＩＣカードを用いて、本発明を適用する場合を以下に説明する。
【００５５】
図４は、実施の形態２のサービス提供システムの一部を示す構成図である。サービス提供システムは、非接触ＩＣカード３、携帯通信装置４、サービス提供装置５を有する。本実施の形態で、実施の形態１と同一構成、同一機能については、その説明を省略する。
【００５６】
携帯通信装置４は、通信部（送信部及び受信部）４ｂ、マイクロプロセッサ４ｃ、メモリ４ｄ、表示部（図示せず）、入力部（図示せず）、検出部（図示せず）、電源部４ｆを有する。通信部４ｂは、電源部４ｆから供給される電源信号を非接触ＩＣカード３に送信する。また、入力部に、非接触ＩＣカード３の利用者により、上述した一覧データ表示要求の旨が入力されると、表示要求はマイクロプロセッサ４ｃに送られる。マイクロプロセッサ４ｃは、保持している一覧データを表示部に表示させる。また、マイクロプロセッサ４ｃは、時刻を計測するカウント動作機能を有し、時刻情報を通信部４ｂを介して、非接触ＩＣカード３に送る。
【００５７】
非接触ＩＣカード３は、指紋入力部３ｂ、マイクロプロセッサ３ｃ、メモリ３ｄ、通信部（送信部及び受信部）３ｆを有する。通信部３ｆは、携帯通信装置４やサービス提供装置２との間で、データ通信を行う。また、通信部３ｆは、携帯通信装置４から送信されてきた電源信号を受信し、電源信号を各部に供給する。通信部３ｆは、具体的には、ＲＦインターフェイス部及びアンテナを有する。
【００５８】
マイクロプロセッサ３ｃは、実施の形態１の指紋データ生成部１ｆ、判断部１ｇ、カウント部１ｃ、制御部１ｊの機能を有する。この際、マイクロプロセッサ３ｃは、メモリ３ｄに記憶されている所定のプログラムを読み出し、解読実行することにより、上述の機能を実行する。また、メモリ３ｄは、実施の形態１の第１記憶部１ａの機能、第２記憶部１ｂの機能を有する。但し、非接触ＩＣカード３には、実施の形態１の表示部、入力部は設けられていない。
【００５９】
図５は、本実施の形態のサービス提供装置２の構成を示す図である。サービス提供装置２は、通信部（送信部及び受信部）５ｂ、マイクロプロセッサ５ｃ、メモリ５ｄ、サービス提供部５ｆ、電源部５ｇを有する。通信部５ｂは、電源部５ｇから供給される電源信号を非接触ＩＣカード３に送信する。また、通信部５ｂは、一致性判断結果や照合率等を送信するように要求する信号を送信する。通信部５ｂは、非接触ＩＣカード３から送信された一致性判断結果等の情報を受信する。マイクロプロセッサ５ｃは、実施の形態１のカウント部２ｃ、判断部２ｄの機能を有する。この際、マイクロプロセッサ５ｃは、メモリ５ｄに記憶されている所定のプログラムを読み出し、解読実行することにより、上述の機能を実行する。
【００６０】
（動作）
実施の形態１に示した動作と異なる点を説明し、同一の点は、省略する。
【００６１】
（１）第１指紋データ、第１入力時刻の記憶動作
非接触ＩＣカード３の所有者は、上記ＩＣカード３を携帯通信装置４に接近させると、検出部は、上記ＩＣカード３の存在を検出し、検出信号がマイクロプロセッサ４ｃに送られる。マイクロプロセッサ４ｃは、電源部４ｆに対して、通信部４ｂに電源信号を送るように指示するとともに、現在の時刻情報を通信部４ｂに送る。通信部４ｂから送信された電源信号等を受信したＩＣカード３の通信部３ｆは、電源信号をマイクロプロセッサ３ｃ等の各部に送る。電源信号を送られた各部は、各部の動作が実行できるように設定される。また、通信部３ｆは、現在の時刻情報をマイクロプロセッサ３ｃに送る。
【００６２】
そして、マイクロプロセッサ３ｃは、メモリ３ｄから所定のプログラムを読み出して、制御部１ｊ、指紋データ生成部１ｆ、カウント部１ｃの機能が実行できるように設定する。そして、実施の形態１で示した動作と以下の点を除いて、同じ動作が行われる（実施の形態１で示した（１）の動作）
即ち、マイクロプロセッサ３ｃは、現在の時刻情報を取得すると保持する。そして、マイクロプロセッサ３ｃは、時刻の計測動作（上記現在の時刻を起算時刻として時刻の計測動作）を行う。そして、ＩＣカード３の所有者が指紋入力部１ｄを用いて指紋画像を入力すると、マイクロプロセッサ３ｃが上記入力された時刻を計測し、第１入力時刻をメモリ３ｄに記憶させる。
【００６３】
（２）非接触ＩＣカード３の一致性判断動作
また、非接触ＩＣカード３の判断部（マイクロプロセッサ３ｃ）が一致性判断動作を行う場合にも、以下の点を除いて、本実施の形態の（１）と同じ動作が行われる。本動作の場合には、マイクロプロセッサ３ｃは、メモリ３ｄから所定のプログラムを読み出して、制御部１ｊ、判断部１ｇ、指紋データ生成部１ｆ、カウント部１ｃの機能が実行できるように設定する。また、マイクロプロセッサ３ｃは、現在の時刻情報を取得すると保持し、時刻の計測動作（上記現在の時刻を起算時刻として時刻の計測動作）を行う。そして、ＩＣカード３の利用者が指紋入力部１ｄを用いて指紋画像を入力すると、マイクロプロセッサ３ｃが上記入力された時刻を計測し、第２入力時刻をメモリ３ｄに記憶させる。
【００６４】
（３）サービス提供装置における正当性判断動作
非接触ＩＣカード３の利用者は、サービス提供装置２に接近すると、検出部は、利用者の存在を検出し、検出信号がマイクロプロセッサ５ｃに送られる。マイクロプロセッサ５ｃは、電源部５ｇに対して、通信部５ｂに電源信号を送るように指示する。また、マイクロプロセッサ５ｃは、ＩＣカード３に対する情報送信要求を通信部５ｂに送る。通信部５ｂは、電源信号及び情報送信要求をＩＣカード３に対して送信する。
【００６５】
上記ＩＣカード３の通信部３ｆは、電源信号を上記ＩＣカード３の各部に対して送る。これにより、上記ＩＣカード３の各部は、動作が可能な状態に設定される。また、情報送信要求は、マイクロプロセッサ３ｃに送られる。以降の動作は、実施の形態１で示した動作（ステップＳ１００からＳ１６０の動作）と同じである。本実施の形態においても、実施の形態１の効果を有する。
【００６６】
また、本実施の形態では、非接触ＩＣカード３について説明したが、これに限定されるわけでなく、本発明は、接触型ＩＣカードについても適用が可能である。また、本実施の形態では、携帯装置１として、ＩＣカード３について説明したが、ＩＣカード３以外の携帯装置１（内部に電源をもたないもの）にも適用が可能である。また、携帯通信装置４については、携帯タイプでない場合であっても、機能が同じであれば、本実施の形態の適用が可能である。
【００６７】
（実施の形態３）
図６は、実施の形態３のサービス提供システムの一部を示す構成図である。サービス提供システムは、非接触ＩＣカード３、携帯通信装置４、サービス提供装置５を有する。本実施の形態で、実施の形態２と同一構成、同一機能については、同一符号を付してその説明を省略する。
【００６８】
本実施の形態では、指紋入力部３ｂが非接触ＩＣカード３ではなく、携帯通信装置４に設けられている。そして、非接触ＩＣカード３のマイクロプロセッサ３ｃは、実施の形態１で示したカウント部１ｃの機能を有しない。
【００６９】
（動作）
実施の形態２に示した動作と異なる点を説明し、同一の点は、省略する。先ず、非接触ＩＣカード３の所有者（又は利用者）は、指紋入力部３ｂを用いて、指紋画像を入力する。入力された指紋画像は、マイクロプロセッサ４ｃに送られる。マイクロプロセッサ４ｃは、指紋画像に基づいて、第１指紋データ（又は第２指紋データ）を生成し、メモリ４ｄに記憶させる。また、マイクロプロセッサ４ｃは、指紋入力部３ｂにより指紋画像が入力された時刻を計測し、第１入力時刻（又は第２入力時刻）をメモリ４ｄに記憶させる。
【００７０】
上記利用者は、非接触ＩＣカード３を携帯通信装置４に接近させると、携帯通信装置４の検出部がＩＣカード３の存在を検出する。検出部は、検出した旨をマイクロプロセッサ４ｃに送る。マイクロプロセッサ４ｃは、メモリ４ｄから各情報を読み出し、電源部４ｆから電源信号を取得する。そして、マイクロプロセッサ４ｃは、通信部４ｂを介して、電源信号及び各情報を非接触ＩＣカード３に送信する。
【００７１】
非接触ＩＣカード３の通信部３ｆは、電源信号を受信すると、各部に送る。各部は、電源信号が送られると、起動できるような状態に設定される。また、通信部３ｆに各情報が受信されると、各情報は、マイクロプロセッサ３ｃに送られる。
【００７２】
各情報が、第１指紋データ及び第１入力時刻の場合には、マイクロプロセッサ３ｃは、第１指紋データと第１入力時刻とを対応づけてメモリ３ｄに記憶させる。各情報が、第２指紋データ、第２入力時刻の場合には、マイクロプロセッサ３ｃは、メモリ３ｄから第１指紋データを読み出し、照合動作を行い、一致するか否かを判断する。そして、マイクロプロセッサ３ｃは、一致性判断結果を第２入力時刻と対応づけてメモリ３ｄに記憶させる。
【００７３】
本実施の形態においても、実施の形態１の効果を有する。また、非接触ＩＣカード３に指紋入力機能を設ける必要がないので、非接触ＩＣカード３のコストを低減できる。また、本実施の形態では、携帯通信装置４内には電源部４ｆが設けられているので、実施の形態２と比較して、指紋入力動作も高速で行うことが可能である。
【００７４】
なお、携帯通信装置４のマイクロプロセッサ４ｃが、判断部１ｇの機能、カウント部１ｃの機能を有するようにしてもよい。そして、携帯通信装置４側で、照合、一致性判断動作を行い、メモリ４ｄに第２入力時刻及び一致性判断結果を記憶するようにしてもよい。そして、携帯通信装置４は、非接触ＩＣカード３に対して、第２入力時刻及び一致性判断結果を送信するようにしてよい。
【００７５】
（変形例１）
上述した各実施の形態では、サービス提供装置２の判断部２ｄは、一致性判断結果、第２入力時刻が受信時刻に対して所定時間以内であるか否か以外に、照合率、第１入力時刻を考慮して、利用者の正当性を判断していたが、以下のような判断情報を考慮して上記正当性を判断してもよい。
【００７６】
例えば、判断部１ｇは、照合率に応じて、ランク付け（例えば、Ａ〜Ｅ）を行う。そして、ランク付け情報が、第２記憶部１ｂに記憶されるようにしてもよい。また、携帯装置１の入力部により、指紋画像を取得する指の数、指の種類を示す情報が入力され、これらの情報も第２記憶部１ｂに記憶されるようにしてもよい。また、指紋入力部１ｄは、指紋画像入力の際における押圧力を測定し、これらの情報も第２記憶部１ｂに記憶されるようにしてもよい。また、携帯装置の入力部により、指紋画像の入力場所、指紋画像を入力する装置を示す情報が入力され、これらの情報も第２記憶部１ｂに記憶されるようにしてもよい。
【００７７】
そして、サービス提供装置２の判断部２ｄは、サービスに応じて、これらの情報（ランク付け情報、指の数、指の種類を示す情報、押圧力等）も考慮して正当性を判断してもよい。
【００７８】
また、携帯装置１に、指紋データ生成部１ｆにより生成された指紋データから、特徴データを生成する特徴データ生成部（図示せず）を設けてもよい。特徴データとは、指紋データの特徴部分を抽出したデータであり、指紋データに比べてデータ量は少なくなっている。そして、上述した実施の形態１、２，３において、指紋データの代わりに、特徴データを用いるようにしてもよい。そして、指紋データ生成部は、指紋データに対して、指紋データである旨（例えば、指紋データのデータ量を示す旨であるデータ量情報）を付加し、特徴データ生成部は、特徴データに対して、特徴データである旨（例えば、特徴データのデータ量を示す旨であるデータ量情報）を付加してもよい。そして、第２記憶部１ｂに、このようなデータ量情報を判断情報として記憶されるようにしてもよい。
【００７９】
そして、サービス提供装置２の判断部２ｄは、指紋データであるか特徴データであるかを示す情報（即ち、データ量情報）に基づいて、正当性を判断するようにしてもよい。
【００８０】
（変形例２）
上述した各実施の形態では、携帯装置１の所有者や利用者を証明するためのデータとして、指紋データを用いて説明したが、これに限定されるわけではない。即ち、証明データの生成に時間がかかるか又は証明データを照合して、一致性を判断するのに時間がかかるような証明データであれば、特に限定しない。
【００８１】
この場合、サービス提供システムにおいて、上述した指紋入力部１ｄ、指紋データ生成部１ｆの代わりに、必要情報入力部、証明データ生成部を設けるようにしてもよい。そして、必要情報としては、指紋画像に限定されず、掌紋画像、アイリス画像でもよいし、声紋音声でもよい。そして、証明データ生成部は、必要情報入力部にて入力された証明情報に基づいて、証明データ（掌紋データ、声紋データ、アイリスデータ）を生成する。そして、上述した各実施の形態、変形例において、指紋データの代わりに、上記証明データを用いてもよい。
【００８２】
また、証明データとして、血液型データを用いても良い。ここで、必要情報入力部に、所有者又は利用者の血液が置かれると、必要情報入力部は、血液を分析して、分析結果を証明データ生成部に送る。証明データ生成部は、送られた分析結果に基づいて血液型データを生成する。
【００８３】
（変形例３）
上述した各実施の形態、各変形例では、所有者や利用者の証明データに基づいて、一致性判断動作等を行っていたが、以下のように、所有者や利用者の所有物の証明データに基づいて、一致性判断動作等を行うことも可能である。
【００８４】
上記必要情報入力部に所有物が置かれると、必要情報入力部は、所有物に対して所定の処理を行い、処理結果を証明データ生成部に送る。証明データ生成部は、処理結果に基づいて、所有物の証明データを生成する。具体的には、例えば、所有物が牛肉の場合、証明データ生成部は、牛肉のＤＮＡデータを生成する。
【００８５】
そして、上述した各実施の形態、各変形例の動作が行われる。この際、指紋データの代わりに、例えば、牛肉のＤＮＡデータ（所有物の証明データ）が用いられる。ここでいうＤＮＡデータとは、例えば、配列データが該当する。なお、所有物の証明データとしては、所有物の画像に基づいて生成された証明データでもよい。また、本変形例では、判断部１ｇは、所有物の第１証明データと第２証明データの一致性を判断し、判断部２ｄは、利用者の所有物の正当性を判断する。
【００８６】
また、本変形例のサービスは、上記所有物に対するサービスとなる。例えば、所有物が牛肉であり、証明データが牛肉のＤＮＡデータの場合には、サービスは、例えば、牛肉を市場に流通させるサービスとなる。また、判断情報としては、例えば、照合率、第１入力時刻、証明情報入力場所等が該当する。
【００８７】
また、利用者の所有物としては、携帯装置や非接触ＩＣカードとしてもよい。例えば、携帯装置の画像を他の撮影装置で撮影し、画像を携帯装置の必要情報入力部から入力して、入力された画像に基づいて、証明データ生成部は、携帯装置の認証データを生成するようにしてもよい。
【００８８】
なお、上述した各実施の形態、各変形例において、セキュリティ性が非常に高いサービスでは、パスワード入力や他の手段による認証を併用することもできる。例えば、ＩＣカード３が盗難に遭った場合において、判断部２ｄは、第２入力時刻をもとに、一定時間以上経過した一致性判断結果、照合率等は、無効とするように判断することも可能である。
【００８９】
また、上述した各実施の形態、各変形例において、受信という言葉の代わりに、取得や獲得、送信という言葉の代わりに、提供という言葉を用いても良い。
【００９０】
【発明の効果】
以上説明したように、本発明によれば、携帯装置の利用者の正当性を判断して、サービスの提供を行う場合、多くの人がスムーズにサービスの提供を受けられるとともに、サービスの種類に応じて、セキュリティ性の高さを変化させて、利用者の正当性を判断することができる。
【図面の簡単な説明】
【図１】実施の形態１であるサービス提供システムの構成を示す図である。
【図２】実施の形態１であるサービス提供システムの動作を説明するためのフローチャート図である。
【図３】実施の形態１であるサービス提供システムの動作を説明するためのフローチャート図である。
【図４】実施の形態２であるサービス提供システムの構成の一部を示す図である。
【図５】実施の形態２、３のサービス提供装置の構成を示す図である。
【図６】実施の形態３であるサービス提供システムの構成の一部を示す図である。
【符号の説明】
１　携帯装置
１ａ　第１記憶部
１ｂ　第２記憶部
１ｃ、２ｃ　カウント部
１ｄ、３ｂ　指紋入力部
１ｆ　指紋データ生成部
１ｈ、２ｂ、３ｆ、４ｂ、５ｂ　通信部
１ｊ、２ｄ　制御部
２、５　サービス提供装置
２ｆ、５ｆ　サービス提供部
３　非接触ＩＣカード
３ｃ、４ｃ、５ｃ　マイクロプロセッサ
３ｄ、４ｄ、５ｄ　メモリ
４ｆ、５ｇ　電源部
４　携帯通信装置。
【図１】
2004021737.tif 000003
【図２】
2004021737.tif 000004
【図３】
2004021737.tif 000005
【図４】
2004021737.tif 000006
【図５】
2004021737.tif 000007
【図６】
2004021737.tif 000008